(57)【特許請求の範囲】
【請求項１】
通信回線によって複数のクライアントコンピュータが接続されたサーバコンピュータを備え、当該サーバコンピュータは、各会員と当該会員が各投資対象に投資した投資金とを会員データベースに記憶する手段と、前記会員データベースに記憶された会員のうち各会員がクライアントコンピュータを介して情報提供者として任意に選択した他の会員について、前記会員データベースに記憶された前記投資金から投資総額を算出して当該投資総額のうちで前記各投資対象に投資された投資金の割合を算出する手段と、算出された割合がいずれの割合範囲に属するかを決定する手段と、前記各割合範囲にこれを表す記号を対応させて予め記憶している手段と、前記情報提供者について前記各投資対象毎に、前記決定された割合範囲を表す記号を付して前記各会員に対して前記クライアントコンピュータ上に表示する手段とを具備する投資サーバ装置。
【請求項２】
前記サーバコンピュータは、前記情報提供者について前記会員データベースに記憶された投資金から過去の一定数の投資行動における平均投資額を算出する手段と、前記情報提供者について前記会員データベースに記憶された投資金から該当する投資行動における投資総額を算出して当該投資総額の前記平均投資額に対する偏差値を算出する手段と、前記偏差値がいずれの偏差値範囲に属するかを決定する手段と、前記各偏差値範囲にこれを表す記号を対応させて予め記憶している手段と、前記情報提供者について前記決定された偏差値範囲を表す記号を付して前記各会員に対し前記クライアントコンピュータ上に表示する手段とをさらに具備する請求項１に記載の投資サーバ装置。
【請求項３】
前記サーバコンピュータは、前記情報提供者について算出された前記投資総額の偏差値が所定値を超えた時に、その旨を、前記情報提供者を選択した会員のクライアントコンピュータに送信する手段をさらに具備する請求項２に記載の投資サーバ装置。
【請求項４】
前記サーバコンピュータは、前記各会員から前記クライアントコンピュータを介して発せられる前記情報提供者への投資リクエストを受け付け、これを加算して当該加算値が所定値を超えた時に、その旨を、前記情報提供者のクライアントコンピュータに送信する手段をさらに具備する請求項１ないし３のいずれかに記載の投資サーバ装置。
【請求項５】
前記投資対象は出走馬であり、前記投資金は馬券購入金である請求項１ないし４のいずれかに記載の投資サーバ装置。
【発明の詳細な説明】
【技術分野】
【０００１】
本発明は投資サーバ装置に関し、特に、競馬の馬券購入等の投資をする際に有用な投資サーバ装置に関する。
【背景技術】
【０００２】
従来の競馬の馬券購入は、該当レースにおける出走馬の名称欄に対応する位置に、予想家（情報提供者）が、「本命」「対抗」「穴」等の主観的予測に応じて「二重丸」、「丸」、「三角」等の記号を付した予想表を参考にしていた。なお、特許文献１には、予想者の予測に基づく出走馬の評価項目をインターネットを介して会員に送信するようにした情報提供方法が示されている。
【特許文献１】特開２００２−２３０２１７
【発明の開示】
【発明が解決しようとする課題】
【０００３】
しかし、上記従来の予想表では出走馬に対する「本命」「対抗」「穴」等の評価が予想家の主観に基づいたものであり、信頼性に欠けるという問題があった。
【０００４】
そこで、本発明はこのような課題を解決するもので、会員に対して信頼性の高い投資情報を与えることができる投資サーバ装置を提供することを目的とする。
【課題を解決するための手段】
【０００５】
上記目的を達成するために、本第１発明では、通信回線によって複数のクライアントコンピュータが接続されたサーバコンピュータを備え、当該サーバコンピュータは、各会員と当該会員が各投資対象に投資した投資金とを会員データベースに記憶する手段と、上記会員データベースに記憶された会員のうち各会員がクライアントコンピュータを介して情報提供者として任意に選択した他の会員について、上記会員データベースに記憶された上記投資金から投資総額を算出して当該投資総額のうちで上記各投資対象に投資された投資金の割合を算出する手段と、算出された割合がいずれの割合範囲に属するかを決定する手段と、各割合範囲にこれを表す記号を対応させて予め記憶している手段と、上記情報提供者について各投資対象毎に、上記決定された割合範囲を表す記号を付して上記各会員に対して上記クライアントコンピュータ上に表示する手段とを具備している。ここで「投資」とは、配当を期待して金銭を投入するものを広く意味している。この場合、「投資対象」が出走馬で、「投資金」が馬券購入金であって良い。馬券購入金はより正確には勝ち馬投票券の購入金の意である。
【０００６】
本第１発明においては、情報提供者が各投資対象に実際に投資した投資金の割合（投資度）に基づいた記号が各投資対象に付されて表示されるから、会員は各投資対象に対する情報提供者の客観的かつ信頼性の高い投資情報を得ることができる。そして、投資度が生の数値ではなく記号で表されるから、複数の情報提供者からの投資情報の比較検討が容易である。また、情報提供者が固定されておらず、任意に選択できるから、投資情報の偏りを防止することができる。  
【０００７】
上記サーバコンピュータは、上記情報提供者について上記会員データベースに記憶された投資金から過去の一定数の投資行動における平均投資額を算出する手段と、上記情報提供者について上記会員データベースに記憶された投資金から該当する投資行動における投資総額を算出して当該投資総額の上記平均投資額に対する偏差値を算出する手段と、上記偏差値がいずれの偏差値範囲に属するかを決定する手段と、各偏差値範囲にこれを表す記号を対応させて予め記憶している手段と、上記情報提供者について上記決定された偏差値範囲を表す記号を付して上記各会員に対し上記クライアントコンピュータ上に表示する手段とをさらに具備する
【０００８】
本第２発明においては、上記偏差値から、今回の投資に対する情報提供者の意気込み（勝負度）を会員が客観的に知ることができ、投資行動に生かすことができる。
【０００９】
本第３発明では、上記サーバコンピュータは、上記情報提供者について算出された上記投資総額の偏差値が所定値を超えた時に、その旨を、上記情報提供者を選択した会員のクライアントコンピュータに送信する手段をさらに具備している。本第３発明によれば、会員が投資行動のタイミングを逸することがなくなる。
【００１０】
本第４発明では、上記サーバコンピュータは、上記各会員から上記クライアントコンピュータを介して発せられる上記情報提供者への投資リクエストを受け付け、これを加算して当該加算値が所定値を超えた時に、その旨を、上記情報提供者のクライアントコンピュータに送信する手段をさらに具備している。本第４発明によれば、情報提供者による会員への情報提供が促される。
【発明の効果】
【００１１】
以上のように、本発明の投資サーバ装置によれば、会員に対して信頼性の高い投資情報を与えることができる。
【発明を実施するための最良の形態】
【００１２】
本発明の投資サーバ装置は図１に示すように通信回線としてのインターネット１に接続されたサーバコンピュータ２によって実現される。そして、予め登録された複数の会員が、それぞれインターネット１に接続されたクライアントコンピュータ３によって上記投資サーバ装置２を利用できるようになっている。会員はクライアントコンピュータ３に自己のＩＤ等を入力することによって投資サーバ装置２に接続できる。以下、本実施形態では投資サーバ装置２を馬券購入装置として利用する場合について説明する。
【００１３】
会員はクライアントコンピュータ３上に表示される図２に示すような所望のレースの投資情報登録ページ上で馬券を購入する。すなわち、投資情報登録ページの馬券種類設定欄３１で、「単勝」「複勝」や「馬連」「ワイド」「馬単」「３連複」の必要箇所のラジオボタン３２を選択するとともに、馬番設定欄３３のチェックボックス３４で、購入する馬番の該当番号にチェック印を入れる。そして、馬券種類設定欄の「購入金額」欄３５に１００円単位で所望の数字を入力して「登録」ボタン３６を押す。これにより、馬券購入情報が投資サーバ装置２へ送られて当該会員のＩＤと対応させて後述の会員データベースとして記憶管理される。同一レースでの馬券購入を繰り返す場合には、会員はクライアントコンピュータ３上で上記購入操作を繰り返す。
【００１４】
投資サーバ装置２では図３に示すように会員データベース４に上記馬券購入情報に加えて、各会員の会員ＩＤと対応させて当該会員の個人成績が記憶される。個人成績は例えば回収率を指標とすることができる。回収率は、一定数のレース（例えば５０レース）での総投資金額に対する総払戻金額の割合である。投資サーバ装置２は上記回収率を基に各会員の格付けを記号化する。投資サーバ装置内には予め、例えば、回収率が１５０％を超える場合には「Ａ＋」、１５０％以下で１２５％を超える場合には「Ａ」、１２５％以下で１００％を超える場合には「Ａ−」、１００％以下で９０％を超える場合には「Ｂ＋」、９０％以下で８０％を超える場合には「Ｂ」、８０％以下で７０％を超える場合には「Ｂ−」、７０％以下で６０％を超える場合には「Ｃ」、６０％以下の場合には「Ｄ」というように、回収率の範囲毎に特定の記号を対応させて記憶されており、投資サーバ装置２はこの対応関係に従って、算出された上記回収率を記号化する。なお、各記号に対応させる回収率の範囲は投資サーバ装置２内で変更可能である。
【００１５】
各会員はクライアントコンピュータ３を介して、任意の、あるいは予め投資サーバ装置２によってラインアップされた他の会員を、情報提供者として選択することができる。そこで、投資サーバ装置２は、情報提供者として選択された各会員の馬券購入情報から該当レースの勝負度を算出してこれを記号化する。勝負度は下式（１）で算出される。算出された勝負度はその値の範囲によって、例えば、図４に示すような「大勝負」「強気」「普通」「弱気」「遊び」の各文字記号を対応させ、あるいはそれぞれ異なる数の星印からなる通常記号を対応させて投資サーバ装置２内に予め記憶されている。投資サーバ装置２はこの対応関係に従って、算出された上記勝負度を記号化する。なお、各記号に対応させる勝負度の範囲は投資サーバ装置２内で変更可能である。
【００１６】
｛（Ｍ−Ｍａ）／Ｍσ｝×１０＋５０…（１）
ここで、Ｍは各会員の該当レースでの投資額、Ｍａは過去の一定数のレース（例えば５０レース）における平均投資額、Ｍσは過去の一定数のレースにおける投資金額の標準偏差である。
【００１７】
投資サーバ装置２はさらに、情報提供者として選択された各会員の馬券購入情報から該当レースにおける投資度を算出してこれを記号化する。投資度は、各会員の該当レースでの総投資額に対する各馬番への投資額の割合である。この投資度の一例を以下に説明すると、馬単01-14を１０００円、馬単06-14を１０００円、３連複01-13-14を１０００円、３連複06-13-14を１０００円購入したとする。この時の総投資額は４０００円であり、馬番01に対する投資額は２０００円である。したがって、馬番01への投資度は２０００／４０００＝５０（％）となる。投資サーバ装置２内には、図５に示すように、例えば、投資度が１００％以下で７５％を超える場合には「本命」あるいは二重丸、７５％以下で４５％を超える場合には「対抗」あるいは丸、４５％以下で２５％を超える場合には「穴」あるいは三角、２５％以下で０％を超える場合には「注意」あるいはバツのように、投資度の範囲毎に特定の文字記号あるいは通常記号が対応させて記憶されており、投資サーバ装置２はこの対応関係に従って、算出された上記投資度を記号化する。なお、各記号に対応させる投資度の範囲は投資サーバ装置２内で変更可能である。
【００１８】
投資サーバ装置２は、クライアントコンピュータ３を介しての各会員からの要求に応じて、情報提供者として選択された各会員の格付け記号、該当レースにおける勝負度記号、および投資度記号を含んだ図６に一例を示すような投資情報一覧ページを作成して、これをインターネット１によって各会員に送信する。ここで、図６に示す投資情報一覧ページでは、該当会員によって選択された「kenakaga」「CHA」等の５人の情報提供者が横枠内に表示されて、各情報提供者毎にその格付け記号や勝負度記号が付されるとともに、縦枠内に表示された各馬番について、各情報提供者の投資度記号が、馬番と情報提供者の交差する格子枠内に表示される。各会員は以上のような投資情報一覧ページを参考にして、クライアントコンピュータ３上から該当レースの馬券を購入することができる。
【００１９】
投資サーバ装置２は、各会員が選択した各情報提供者の、（１）式で示される勝負度が所定値を超えた時には当該会員に対し予め登録されたメールアドレスへその旨のメールを発信する。これにより、会員は馬券購入のタイミングを逸することがなくなる。なお、上記所定値は、クライアントコンピュータ３を介して各会員が投資サーバ装置２に対し独自に設定するようにもできる。
【００２０】
さらに、投資サーバ装置２は、各会員からクライアントコンピュータ３を介して発せられる各情報提供者への情報提供リクエストを受け付けて、そのリクエスト数を加算し、この加算値が所定値を超えた時には該当する情報提供者に対し予め登録されたメールアドレスへその旨のメールを発信する。これにより、情報提供者による情報提供、すなわち各馬番に対する投資情報の提供が促される。なお、この場合の所定値も、クライアントコンピュータ３を介して各会員が投資サーバ装置２に対し独自に設定するようにできる。
【００２１】
なお、上記実施形態では投資サーバ装置で実際に馬券を購入する場合について説明したが、馬券は別ルートで購入し、投資情報登録ページ（図２）上では購入した馬券の情報のみを入力するようにしても良い。
【図面の簡単な説明】
【００２２】
【図１】投資サーバ装置の通信環境を説明する図である。
【図２】クライアントコンピュータ上に表示される投資情報登録ページ画面の正面図である。
【図３】投資サーバ装置内の会員データベースの構成とこれに基づいて行われる投資サーバ装置の処理を示すブロック図である。
【図４】勝負度と記号の対応関係を示す図である。
【図５】投資度と記号の対応関係を示す図である。
【図６】クライアントコンピュータ上に表示される投資情報一覧ページ画面の正面図である。
【符号の説明】
【００２３】
１…インターネット、２…投資サーバ装置、３…クライアントコンピュータ。
【要約】
【課題】  会員に対して信頼性の高い投資情報を与える。
ことができる
【解決手段】  投資サーバ装置２は、登録された会員のうち、各会員が任意に選択した他の会員を情報提供者として、当該情報提供者についてその馬券購入金総額のうちで、各出走馬に投資された馬券購入金の割合を算出する手段と、算出された割合がいずれの割合区分に属するかを決定する手段と、各割合区分にこれを表す記号を対応させる手段と、上記情報提供者について各出走馬毎に上記割合区分を表す記号を付したものを、上記各会員に対して表示する手段とを具備している。
【選択図】        図１
【図１】
0003558291.tif 000002
【図２】
0003558291.tif 000003
【図３】
0003558291.tif 000004
【図４】
0003558291.tif 000005
【図５】
0003558291.tif 000006
【図６】
0003558291.tif 000007